(57)【要約】【課題】  メガネフレームのフロント部であって、レン外周の欠けや割れを抑制できるリムの提供。【解決手段】  リムはレンズ外周に設けた凸部６が嵌る内周凹溝２を連続して形成し、外周にも溝３を連続して形成し、上記凹溝２に嵌ったレンズ外周部への部分的な応力の集中を緩和することが出来る。【選択図】    図２
2016180923.tif 000002
【特許請求の範囲】
【請求項１】
メガネフレームのフロント部を構成するリムにおいて、該リムはレンズ外周に設けた凸部が嵌る内周凹溝を連続して形成し、外周にも溝を連続して形成し、上記凹溝に嵌ったレンズ外周部への部分的な応力の集中を緩和することを特徴とするメガネフレームのリム。
【請求項２】
上記外周溝底に模様を形成した請求項１記載のメガネフレームのリム。
【請求項３】
上記外周溝に樹脂を流し込んで樹脂層を形成した請求項１記載のメガネフレームのリム。
【発明の詳細な説明】
【技術分野】
【０００１】
本発明はレンズが嵌るに当たって無理な応力の作用を緩和することが出来るメガネフレームのリムに関するものである。
【背景技術】
【０００２】
図５は従来の一般的な金属製のメガネフレーム（眼鏡フレーム）を表している。同図に示すように、メガネフレームはフロント部（イ）と該フロント部（イ）の両側に取付けられるツル（ロ）、（ロ）から成り、フロント部（イ）はレンズが嵌るリム（ハ）、（ハ）を連結部材（ニ）にて左右対称に繋がれ、フロント部（イ）の外側に設けているヨロイ（ホ）、（ホ）には蝶番（ヘ）、（ヘ）を介して上記ツル（ロ）、（ロ）が折り畳み出来るように連結している。そして、フロント部（イ）の中央部であって上記連結部材（ニ）の下側には鼻当てパット（ト）、（ト）を取付けている。
【０００３】
上記リム（ハ）、（ハ）にはレンズが嵌るが、この際、リム（ハ）、（ハ）の外側であって、ヨロイ（ホ）、（ホ）の背面側にはリムロックが設けられ、該リムロックのネジを弛めることでリム（ハ）、（ハ）の周長が拡大し、この状態でレンズを嵌めてリムロックのネジを再び締められる。
図６はリム（ハ）にレンズが嵌った状態での断面拡大図（図５のＡ−Ａ断面拡大図）を表しているが、リム（ハ）の内周には凹溝（チ）が沿設され、レンズ（リ）の外周に形成される凸部（ヌ）は該凹溝（チ）に嵌合している。
【０００４】
ところで、リム（ハ）は所定断面した線材を曲げられてリング状に成形され、レンズ（リ）は該リム（ハ）に嵌るように切削加工される。レンズの外形が円形であるならば、リムの曲げ成形は比較的容易であり寸法誤差も少ないが、レンズは概略楕円形である為にその外形は同一面ではなく３次元形状に湾曲している。その為に、リム（ハ）の形状も３次元に湾曲したリング体として成形しなくてはならず、形状の寸法誤差はレンズ（リ）が嵌る際に局部的な応力として発生する。その為に、レンズの外周が欠けたり、時にはレンズ割れを生じる。
【０００５】
特開２０１５−１４６７３号に係る「メガネのリム形態」は、メガネのレンズが嵌るリムであって、レンズの割れや欠けを防止する為に、レンズ外周に部分的な応力が作用しないようにしたリムの形態である。
すなわち、リムの表面に切欠き部を形成してリムの曲げ剛性を低下させ、レンズに作用する無理な応力を抑制する。さらに、リムの全周に亘って正面側と背面側に小さい切欠き部を複数個形成し、正面側切欠き部と背面側切欠き部の位置をズラしている。
【０００６】
特開２００１−３３０８０２号に係る「メガネのリム構造」は、メガネのレンズを嵌める為のリムであって、従来のようなリムロックを備えることなく、リムに嵌ったレンズが部分的な高い応力にてレンズ割れが発生しないリム構造である。
すなわち、リムはリム本体と補助リムからなり、レンズ外周をリム本体と補助リムにて挟み込んでレンズを取付けることが出来る。
【特許文献１】特開２０１５−１４６７３号に係る「メガネのリム形態」
【特許文献２】特開２００１−３３０８０２号に係る「メガネのリム構造」
【発明の開示】
【発明が解決しようとする課題】
【０００７】
このように、リング状のリムにレンズを嵌める場合、両者の形状及び寸法の誤差によってレンズには局部的な応力が作用する。これを解消する為に従来において色々な技術が知られている。本発明が解決しようとする課題もこの問題点であり、従来の手段とは異なる方法でレンズ割れを抑制することが出来るメガネフレームのリムを提供する。
【課題を解決するための手段】
【０００８】
本発明に係るメガネフレームのリムは、レンズが嵌ることでリム側が多少変形することが出来る形状としている。すなわち、内周側には従来のリムと同じくレンズ外周の凸部が嵌るように凹溝を沿設し、外周側には外周溝を沿設した断面形状と成っている。
したがって、リムの断面は内周側と外周側に共に溝が形成され、リムの中立軸を中心とした剛性が小さく成るように構成している。
【０００９】
ここで、レンズの凸部が嵌合する凹溝の断面形状は一般に両側に傾斜面を有すＶ形断面であり、そして外周側に形成される溝の断面形状は特に限定しないが、共に長手方向に連続した一定断面の溝として構成している。
外周に設けた溝底を平面とし、この平坦な溝底に模様を形成することもあり、そしてカラフルな樹脂を流し込んで樹脂層を設けることもある。
【発明の効果】
【００１０】
本発明に係るリムはその内周面に凹溝が沿設されており、レンズ外周の凸部はこの凹溝に嵌ることが出来る。そして、リムの外周にも溝が沿設され、その為にリム断面は中央部が内周側と外周側とで窪んだ形状と成り、中立軸を中心とした曲げ剛性は小さく成っている。その為に、リムの形状とレンズ外周に多少の誤差があっても、リムが変形してレンズ外周に馴染み、局部的に無理な応力の発生を緩和することが出来る。したがって、レンズ外周の欠けや割れを抑制する効果がある。
【００１１】
一方、リムの外周に沿設した溝はメガネフレームのフロント部における意匠効果をもたらし、従来にはないデザインとなる。特に、外周溝底に模様を形成することも出来、また溝のカラフルな樹脂を流し込んで樹脂層を設けることも可能となり、フロント部がカラフルな外観を有すメガネフレームを構成することが出来る。
そして、リムの外周に溝を設けることでリムは軽くなり、メガネを着用する場合にフロント部を支える為に鼻当てパットに作用する面圧は低く成り、長時間の着用に際しても疲れは少ない。
【図面の簡単な説明】
【００１２】
【図１】本発明に係るリムを構成するリム線を示す実施例。
【図２】リム線の拡大図。
【図３】レンズ外周部断面拡大図。
【図４】リム外周溝に形成した模様の具体例。
【図５】一般的な金属製メガネフレーム。
【図６】リム内周の凹溝にレンズが嵌っている断面拡大図。
【発明を実施するための形態】
【００１３】
本発明に係るリムは従来の一般的なメガネフレームのフロント部と同じように、レンズを嵌めることが出来る部材であり、該リムの形状は色々あって、円形であったり、概略楕円形であったり、又はコーナーに丸みを有した概略四角形として構成することが出来る。さらに、水糸等の高張力糸を組み合せてレンズを保持するハーフリム型式として構成する場合もある。
【００１４】
図１はレンズを嵌める為にリング状のリムを成形する場合に用いるリム線１を表しており、該リム線１は一定断面をした細い線材である。本発明のリムを構成するリム線１は下側に内周凹溝２を有し、また上側にも外周溝３を有しており、下側の内周凹溝２には丸められてリムと成った場合にレンズ外周が嵌められる。そして、上側の外周溝３はリムと成った場合に外周に沿って形成される。
【００１５】
リム線１はレンズが嵌るようにリング状に曲げ成形される。そして、内周凹溝２と外周溝３を有すリム線１は金型によって引抜き加工される。所定の断面に引抜き加工されたリム線１は金型に巻いてリング状のリムに成形されるが、リムは同一平面上に形成されるものではなく、３次元に湾曲した形状と成っている。
すなわち、レンズの外周は同一平面ではなく、レンズをテーブル面に置くならば外全周がテーブル面に接することなく、該テーブル面との間に隙間を有す部分が所々に発生する。
【００１６】
レンズは一定曲率で湾曲した円形玉型を用いて楕円形又はその他の非円形に切削される。その為に、外形は同一平面に収まることなく３次元形状に湾曲している。勿論、円形のレンズであれば外周は同一面にあって、テーブルとは全周が隙間なく接する。
そこで、リムは３次元形状に湾曲したこのレンズ外周と同じ形状に曲げ成形される。その為に、リム線１は所定の金型に巻付けて成形されるが、該金型から取外した場合のスプリングバック（弾性回復）も考慮して金型は製作されている。
【００１７】
このように、スプリングバックも考慮して成形加工したリムであっても、レンズ外周と完全に一致するリムを製作することは出来ない。すなわち、レンズ外周とリムとの間には僅かな誤差が発生し、その為にリムの内周凹溝２にレンズ外周が嵌った場合、レンズ外周には部分的に高い接触応力が発生する。
【００１８】
近年のレンズは従来のようなガラスレンズではなく、プラスチック製のレンズが主流であって多少の変形は許容されるが、リムに嵌ることで発生する部分的な高い応力にて、レンズ外周部が欠けたり又はレンズの割れを生じる。しかし、本発明のリムは図１に示しているように外周に溝３を形成しているリム線１が使用されている。
【００１９】
この外周溝３はリムの全周にわたって連続し、その為にリム線断面の断面二次モーメントは低下し、リムとレンズ外周との間に発生する寸法誤差に基づく部分的な集中応力によってリム側の変形をもたらす。すなわち、レンズ外周にのみ変形を与えないように、レンズ外周部での応力の集中が緩和される。
【００２０】
図２はリム線１の拡大図を表している。内周側に設けている内周凹溝２には逆Ｖ形に傾斜した内周面４，４を有し、両内周面４，４の交差角θは曲げ成形してリムにする場合、上記交差角θは変化する。
図３はレンズ５の外周部断面を示す拡大図であり、レンズ外周部には凸部６を形成している。レンズは所定の形状に切削加工される為に、その寸法誤差は極めて小さい。
【００２１】
これに対して、図１に示すリム線１をリング状に曲げ成形する場合、レンズ外周と一致させることは容易でない。リム線１の材質は均一でなく、曲げ成形したリムもスプリングバックでその一部が戻り変形する。
また、内周面４，４の交差角θもリムの曲げ成形時に変化し、その為に、レンズ５がリムに嵌ることで内周面４，４にレンズ凸部６との間に部分的な高い面圧が発生する。
【００２２】
外周溝３を形成した本発明のリムは、中立面を基準とした曲げ剛性が低下し、レンズ５の凸部６が嵌って内周面４，４に高い面圧が作用するならば、交差角θは拡大することが出来るようにリム断面は変形する。
そこで、外周溝３はリム外周両側に縁７，７を残した形状とし、内周凹溝２の頂部８でのリム断面の肉厚が小さく成るようにしている。
【００２３】
一方、外周溝３の溝底９には模様１０，１０・・・が形成されている。図４は、リム線１の平面図を表しており、一定の模様１０，１０・・・が繰り返し連続して形成されている。本発明では、溝底９に形成される具体的な模様形態は限定せず、しかも模様１０，１０・・・を形成する手段も自由である。
また、該外周溝３にはカラフルな樹脂を流し込んで樹脂層を形成することも出来、従来には存在しないデザインのフロント部を備えたメガネフレームと成る。
【符号の説明】
【００２４】
１  リム線
２  内周凹溝
３  外周溝
４  内周面
５  レンズ
６  凸部
７  縁
８  頂部
９  溝底
10  模様
【図１】
2016180923.tif 000003
【図２】
2016180923.tif 000004
【図３】
2016180923.tif 000005
【図４】
2016180923.tif 000006
【図５】
2016180923.tif 000007
【図６】
2016180923.tif 000008